(57)【特許請求の範囲】
【請求項１】
着用時に人体の腹側に位置する腹側部及び背側に位置する背側部と、前記背側部から延在して設けられ着用時に人体の股間に位置する股間部と、を有する外装体と、
前記外装体における前記背側部及び前記股間部の内面に設けられた吸収体と、
を備え、
前記外装体の前記腹側部と前記背側部とがその両側端の接合端部において接合されたことにより腰周り開口部が形成されるとともに、前記股間部を前記腹側部の外面に着脱可能に係着させることにより左右一対の脚周り開口部が形成される紙おむつにおいて、
前記腹側部は、一続きに形成され、
前記腹側部に係着される前記股間部には、前記外装体と一体に形成されて前記左右一対の脚周り開口部の周縁に沿い前記接合端部に向けて配設される係着帯部が設けられ、
前記係着帯部は、二股に分かれて設けられた第１係着帯部と、第２係着帯部と、を備え、
前記股間部の自由端側中央部と前記第１及び第２係着帯部の夫々には、少なくとも前記腹側部の外面に設けられた被係着部材と係着する係着部材が設けられ、
前記第１及び第２係着帯部には弾性部材が設けられており、前記第１係着帯部は前記左右一対の脚周り開口部の周縁に沿って伸縮し、前記第２係着帯部は前記腰周り開口部の周縁に沿って伸縮することを特徴とする紙おむつ。
【請求項２】
前記第１及び第２係着帯部は、前記腹側部から前記接合端部を越えて前記背側部に達して配されることを特徴とする請求項１に記載の紙おむつ。
【発明の詳細な説明】
【技術分野】
【０００１】
本発明は、紙おむつに関する。
【背景技術】
【０００２】
従来、装着者の腰周りを覆う腰周り部と、装着者の脚周りを覆う脚周り部とを備えるパンツタイプの紙おむつが知られている。
そして、パンツタイプの紙おむつを着用する男性であって、軽度の失禁対策としての使用者や、尿瓶を利用する使用者などの場合、排尿時に紙おむつを大腿部にまで下げて陰部を露出しなければならず、排尿に手間がかかることがある。
そこで、パンツタイプの紙おむつを装着した状態のまま、男性が排尿しやすいように、紙おむつの股間部分を開閉可能にしたものが知られている（例えば、特許文献１、特許文献２参照。）。
【先行技術文献】
【特許文献】
【０００３】
【特許文献１】特開平９−９５８０４号公報
【特許文献２】特開２００１−２５２３０４号公報
【発明の概要】
【発明が解決しようとする課題】
【０００４】
しかしながら、上記特許文献１の場合、紙おむつを装着する際、使用者がズボンやタイツ等の衣類を着用している場合にはその衣類を脱いでから両脚をそれぞれ左右の脚周り部に通さなければならないため、紙おむつの装着が煩わしくなることがあった。
また、上記特許文献２の場合、紙おむつを装着する際、ズボンなどの衣類を下腿に下ろした状態で紙おむつを腰回りに引き上げた後、前身頃と後身頃の下端を係合させることで紙おむつを比較的容易に装着することができるが、前身頃と後身頃を係合させて形成した脚周り部と身体の間に隙間が生じやすく、体液漏れの原因となってしまうことがあった。
【０００５】
本発明の目的は、男性が紙おむつを装着したまま排尿することができ、装着しやすく脚周りにフィットしやすい紙おむつを提供することである。
【課題を解決するための手段】
【０００６】
以上の課題を解決するため、請求項１に記載の発明は、紙おむつであって、
着用時に人体の腹側に位置する腹側部及び背側に位置する背側部と、前記背側部から延在して設けられ着用時に人体の股間に位置する股間部と、を有する外装体と、
前記外装体における前記背側部及び前記股間部の内面に設けられた吸収体と、
を備え、
前記外装体の前記腹側部と前記背側部とがその両側端の接合端部において接合されたことにより腰周り開口部が形成されるとともに、前記股間部を前記腹側部の外面に着脱可能に係着させることにより左右一対の脚周り開口部が形成される紙おむつにおいて、
前記腹側部は、一続きに形成され、
前記腹側部に係着される前記股間部には、前記外装体と一体に形成されて前記左右一対の脚周り開口部の周縁に沿い前記接合端部に向けて配設される係着帯部が設けられ、
前記係着帯部は、二股に分かれて設けられた第１係着帯部と、第２係着帯部と、を備え、
前記股間部の自由端側中央部と前記第１及び第２係着帯部の夫々には、少なくとも前記腹側部の外面に設けられた被係着部材と係着する係着部材が設けられ、
前記第１及び第２係着帯部には弾性部材が設けられており、前記第１係着帯部は前記左右一対の脚周り開口部の周縁に沿って伸縮し、前記第２係着帯部は前記腰周り開口部の周縁に沿って伸縮することを特徴とする。
【０００９】
請求項２に記載の発明は、請求項１に記載の紙おむつにおいて、
前記第１及び第２係着帯部は、前記腹側部から前記接合端部を越えて前記背側部に達して配されることを特徴とする。
【発明の効果】
【００１０】
本発明によれば、紙おむつの腰周り開口部から両脚を入れて、その紙おむつを装着者の腰周りに引き上げた後、股間部を両脚の間を通して身体の前方へ引き出し、その股間部を腹側部に係着することで、紙おむつを身体に容易に装着することができる。
つまり、装着者がズボンやタイツ等の衣類を着用している場合でも、その衣類を脱ぐことなく下腿に下ろした状態で紙おむつを装着することができるので、紙おむつの装着にかかる手間を省くことができる。
特に、紙おむつは、左右一対の脚周り開口部の周縁に沿って配設される係着帯部を備えているので、紙おむつを身体の脚周りにフィットさせ、体液漏れを低減することができる。
そして、この紙おむつは、股間部を開いて陰部を露出することができるので、紙おむつを身体の腰周りに装着したまま、男性が容易に排尿することが可能になる。
【図面の簡単な説明】
【００１１】
【図１】本実施形態における紙おむつを示す斜視図である。
【図２】本実施形態における紙おむつの股間部を腹側部から引き剥がした状態を示す斜視図である。
【図３】図２のIII−III線における断面図である。
【図４】紙おむつの変形例を示す斜視図である。
【図５】紙おむつの変形例を示す斜視図である。
【発明を実施するための形態】
【００１２】
以下、図を参照して、本発明に係るパンツ型の使い捨て紙おむつの具体的な態様を詳細に説明する。ただし、発明の範囲は、図示例に限定されない。
【００１３】
図１は、本実施形態における紙おむつを示す斜視図である。図２は、同紙おむつの股間部を腹側部から引き剥がした状態を示す斜視図である。図３は、図２のIII−III線における断面図である。
【００１４】
図１から図３に示すように、紙おむつ１０は、着用時に人体の腹側に位置する腹側部Ｆ及び背側に位置する背側部Ｂと、その背側部Ｂから延在して設けられ着用時に人体の股間に位置する股間部Ｍと、を有する外装体２と、外装体２の内面に設けられた吸収性本体３とを備えている。
この紙おむつ１０は、外装体２の腹側部Ｆと背側部Ｂとがその両側端の接合端部２１において接合されたことにより形成される腰周り開口部Ｗと、外装体２の股間部Ｍを腹側部Ｆの外面に着脱可能に係着させたことにより形成される左右一対の脚周り開口部Ｌ，Ｌとを有している。
また、股間部Ｍには、外装体２と一体に形成された係着帯部２２が設けられている。具体的には、外装体２における股間部Ｍの自由端側の幅方向の両側に、左右一対の脚周り開口部Ｌ，Ｌの周縁に沿って配設される係着帯部２２が設けられている。
【００１５】
外装体２は、不織布からなる外面シート２Ａと内面シート２Ｂとにより構成されており、吸収性本体３の裏面側（装着時における外部側）を覆う形状に形成されている。
外面シート２Ａ、内面シート２Ｂ、後述するトップシート１やギャザーシート７等に用いる不織布の素材としてとしては、天然繊維、合成繊維のいずれを用いてもよい。天然繊維の例としては、綿、セルロース（木材パルプ）、羊毛、絹等が挙げられる。また合成繊維としては、ポリプロピレン（ＰＰ）、ポリエチレン（ＰＥ）、ナイロン、ポリエステル（ＰＥＴ）、アクリル等が挙げられ、またＰＥ／ＰＰ混合不織布、ＰＥ／ＰＥＴ混合不織布、また、上記素材を適宜組み合わせたバイコンポーネント繊維（混合繊維）も用いることができる。
また、これらの繊維素材から不織布を製造する方法としては、公知の方法を適宜用いることができ、例えば、ケミカルボンド、サーマルボンド、スパンレース等のいずれの方法を用いてもよい。また合成繊維素材等では、スパンボンド法、メルトブロー法、またこれらと上記の接着方法を組み合わせるなど、いずれの方法を用いて製造してもよい。
【００１６】
そして、外装体２の腹側部Ｆの幅方向両端と背側部Ｂの幅方向両端とを固着して人体の脇側に位置する接合端部２１を形成し、外装体２の股間部Ｍを腹側部Ｆの外面に係着させることによって、紙おむつ１０がパンツ型の形状に成形されるようになっている。
この外装体２における外面シート２Ａと内面シート２Ｂとの間には、弾性部材としての複数本の糸ゴム４…が挟み込まれ固着されて備えられている。糸ゴム４…は、外装体２における腰周り開口部Ｗと左右一対の脚周り開口部Ｌ，Ｌに相当する部分に設けられており、紙おむつ１０の使用時に、この糸ゴム４…によって装着者の腰周りおよび脚周りで紙おむつ１０が伸縮するように構成されている。
特に、係着帯部２２における脚周り開口部Ｌの周縁に沿う部分にも糸ゴム４…が設けられており、係着帯部２２が伸縮して人体の脚周りにフィットし易くなっている。
また、股間部Ｍの自由端には、股間部Ｍの幅方向に沿って左右の係着帯部２２に亘る範囲に糸ゴム４…が設けられており、係着帯部２２が伸縮して股間部Ｍが腹側部Ｆとともに人体の腰周りにフィットし易くなっている。
これら糸ゴム４…は、紙おむつ１０の使用時に装着者の下腹部、特に股下やそけい部に外装体２をフィットさせることができるように配設されている。
【００１７】
吸収性本体３は、例えば、紙おむつ１０の使用時に体液としての尿等の水様成分を吸収するものであり、綿やパルプ等の吸収性素材や、繊維或いはフィルム等のシート状基材と高吸水性樹脂（ＳＡＰ；Super Absorbent Polymer）とが組み合わされて形成された吸収体３０と、この吸収体３０を包み込む透液性のクレープ紙３１と、吸収体３０の裏面側を覆う防水フィルム３２と、吸収体３０の表面側（人体側）を覆うトップシート１等により構成されている。
なお、吸収性本体３の防水フィルム３２側を、外装体２の内面に接着するなどして、外装体２に吸収性本体３を固定している。
【００１８】
トップシート１は、例えば、透液性を有する不織布からなる。
クレープ紙３１は透液性のシートであって、吸収体３０を全体的に包装しており、トップシート１を透過した体液を吸収体３０に効率的に吸収させる機能を有する。
防水フィルム３２は、遮水性を有し、吸収体３０側から外装体２側に水様分が漏れることを防止する機能を有する。
【００１９】
この吸収性本体３は、外装体２の股間部Ｍの自由端側から背側部Ｂ側に亘る長さに形成されており、外装体２における股間部Ｍ及び背側部Ｂの内面に設けられている。
また、吸収性本体３の幅方向両側端には、吸収性本体３の長手方向に延在し、紙おむつ１０におけるトップシート１側に立設するギャザーシート７、７が備えられている。
【００２０】
ギャザーシート７、７は、不透液性の不織布のシートを二つ折りにし、折り合わされた面を、例えば、ホットメルトや、ヒートシール、超音波シール等により固着させることにより形成されている。
ここで、図３に示すように、この不織布シートを二つ折りにした折り返し部分側の端部を自由端部７１、立体的な立ち上がりの起点を立ち上がり部７２、外装体２側に固定される端部を固定端部７３とする。その固定端部７３が、トップシート１と外面シート２Ｂとの間に挟まれるように固着されることにより、ギャザーシート７、７が吸収性本体３に固定されている。そして、その不織布シートが折り合わされた面間に、複数本の糸ゴム４が挟み込まれ固着されて備えられている。
このギャザーシート７、７が紙おむつ１０に固着されて備えられた状態において、その自由端部７１が起立することにより立体ギャザーとなる。そして、この糸ゴム４によりギャザーシート７は、装着者の体型に合わせて伸縮自在に変形し、装着者にフィットしやすい構造となっている。
【００２１】
また、図２に示すように、外装体２における腹側部Ｆの外面には、例えば、ＦＴＴ（フロンタル・ターゲット・テープ）などの被係着部材５が貼付されて設けられている。
また、外装体２における股間部Ｍの内面には、例えば、メカニカルテープ、ファスニングテープなどの係着部材６ａ、６ｂが貼付されて設けられている。
係着部材６ａは、股間部Ｍの自由端から吸収性本体３の両側端に亘り、略コ字形状を呈するように設けられている。係着部材６ｂは、股間部Ｍにおける係着帯部２２の側端に設けられている。
この係着部材６ａ、６ｂは、面ファスナのオス材の係止要素を有し、被係着部材５は、面ファスナのメス材の係止要素を有しており、係着部材６ａ、６ｂは被係着部材５に繰り返し着脱できるようになっている。
そして、被係着部材５が設けられた腹側部Ｆに対して、係着部材６ａ、６ｂが設けられた股間部Ｍを着脱可能にしている。
【００２２】
次に、この紙おむつ１０の装着手順、使用手順等について説明する。
【００２３】
まず、被係着部材５と係着部材６ａ、６ｂを引き剥がすようにして、腹側部Ｆから股間部Ｍを剥がす。そして、腹側部Ｆから股間部Ｍを分離した状態の紙おむつ１０（図２参照）の腰周り開口部Ｗから両脚を入れて、その紙おむつ１０を装着者の腰周りに引き上げる。
次いで、紙おむつ１０の股間部Ｍを両脚の間を通して身体の前方へ引き出すとともに、吸収性本体３を身体に密着させるようにして、その股間部Ｍを腹側部Ｆの外面に宛がう。そして、股間部Ｍの係着部材６ａを腹側部Ｆの被係着部材５に係止させて、股間部Ｍを腹側部Ｆに係着する。
更に、股間部Ｍの係着帯部２２を脚周り開口部Ｌの周縁に沿うように接合端部２１に向けて引き付けつつ、その係着帯部２２の係着部材６ｂを腹側部Ｆの被係着部材５に係着させて、係着帯部２２を脚周り開口部Ｌの周縁に配設する。
こうして係着帯部２２を脚周り開口部Ｌの周縁にフィットさせて、紙おむつ１０を装着することができる。
【００２４】
また、排尿時には、腹側部Ｆから股間部Ｍを引き剥がすことで、陰部を露出することができるので、紙おむつ１０を身体の腰周りに装着したまま、男性が容易に排尿することが可能になる。
また、紙おむつ１０の股間部Ｍを開いて、男性巻き（男巻き、男当て、ペニス巻き）と称される吸収性パッドの交換も容易に行うことができる。
【００２５】
以上のように、紙おむつ１０は、腰周り開口部Ｗから両脚を入れて、装着者の腰周りに引き上げた後、紙おむつ１０の股間部Ｍを両脚の間を通して身体の前方へ引き出し、その股間部Ｍを腹側部Ｆに係着することで、容易に装着することができる。
そして、使用者がズボンやタイツ等の衣類を着用している場合でも、その衣類を脱ぐことなく下腿に下ろした状態で紙おむつ１０を装着することができるので、紙おむつ１０の装着にかかる手間を省くことができる。
【００２６】
また、紙おむつ１０は、左右一対の脚周り開口部Ｌ，Ｌの周縁に沿って配設される係着帯部２２を備えているので、紙おむつ１０を身体の脚周りにフィットさせ、体液漏れを低減することができる。
【００２７】
特に、紙おむつ１０は、股間部Ｍを開いて陰部を露出することができるので、紙おむつ１０を身体の腰周りに装着したまま、男性が容易に排尿することが可能になる。
また、紙おむつ１０の股間部Ｍを開いて、男性巻きと称される吸収性パッドの交換も容易に行うことができる。
【００２８】
なお、本発明は上記実施形態に限られるものではない。
例えば、図４に示すように、左右一対の脚周り開口部Ｌ，Ｌの周縁に沿って配設される係着帯部２２ａと、腰周り開口部Ｗに沿う係着帯部２２ｂを備える紙おむつ１１であってもよい。
このような紙おむつ１１であれば、脚周りのフィット性に加えて、腰周りのフィット性も向上するので、装着者の体型に応じて適切な装着が可能になる。
【００２９】
また、図５に示すように、腹側部Ｆから接合端部２１を越えて背側部Ｂに達して配される係着帯部２２ｃと、背側部Ｂの外面に貼付されて設けられた被係着部材５を備える紙おむつ１２であってもよい。
このような紙おむつ１２であれば、脚周り開口部Ｌの伸縮が強くなるので、脚周りへのフィット性が一層向上し、脚周りに隙間がより一層生じ難くすることができる。
【００３０】
なお、以上の実施の形態においては、外装体２における腹側部Ｆや背側部Ｂの外面に被係着部材５を設け、また、外装体２における股間部Ｍの内面に係着部材６ａ、６ｂを設けたが、本発明はこれに限定されるものではなく、被係着部材５や係着部材６ａ、６ｂを設ける範囲やその形状、その数は任意であり、適宜変更することができる。
てもよい。
【００３１】
また、その他、具体的な細部構造等についても適宜に変更可能であることは勿論である。
【符号の説明】
【００３２】
２      外装体
２１    接合端部
２２    係着帯部
２２ａ、２２ｂ、２２ｃ  係着帯部
３      吸収性本体
３０    吸収体
４      糸ゴム（弾性部材）
５      被係着部材
６ａ、６ｂ  係着部材
７      ギャザーシート
１０、１１、１２  紙おむつ
Ｆ      腹側部
Ｂ      背側部
Ｍ      股間部
Ｗ      腰周り開口部
Ｌ      脚周り開口部
【図１】
0005765932.tif 000002
【図２】
0005765932.tif 000003
【図３】
0005765932.tif 000004
【図４】
0005765932.tif 000005
【図５】
0005765932.tif 000006